(57)【要約】【課題】  フレーム金具のフック部を不用意に強く掴んでしまってもメモリカードが容易には離脱しないものとし、電子機器内にメモリカード自体が取り残されてしまうというような不具合を未然に防ぐようにする。【解決手段】  メモリカードの端部を挿入することによりメモリカードを着脱自在に装着するフレーム金具２と、フレーム金具２に差し込んで組み付けるコア３と、コア３との離反方向への変位を規制した状態でメモリカードの端部に対してばね力で係脱自在に係合してメモリカードの抜け止めを行うよう前記フレーム金具２に設けたフック部２３を可動乃至不動の状態に規制すべくフレーム金具２、コア３の相互間でスライド可能に配置したスライドスイッチ４とを備える。【選択図】          図１
2006018651.tif 000002
【特許請求の範囲】
【請求項１】
メモリカードの端部が挿入されることによりメモリカードが着脱自在に装着されるフレーム金具と、フレーム金具に差し込まれて組み付けられるコアと、コアとの離反方向への変位が規制された状態でメモリカードの端部に対してばね力で係脱自在に係合してメモリカードの抜け止めを行うよう前記フレーム金具に設けたフック部を可動乃至不動の状態に規制すべくフレーム金具、コアの相互間でスライド可能に配置されたスライドスイッチとを備えたことを特徴としたメモリカード用アダプタ。
【請求項２】
スライドスイッチは、コアに形成された凹部に往復スライド可能に収納されると共に、コアの片側に形成された貫通孔もしくは有底孔に対向して突部が形成され、当該スライドスイッチのいずれかの移動端で突部が貫通孔もしくは有底孔に係入することによりフック部の可動を許容するものとした請求項１記載のメモリカード用アダプタ。
【請求項３】
スライドスイッチには、コアの貫通孔もしくは有底孔の個数に対応した数の突部を備えている請求項１または２記載のメモリカード用アダプタ。
【請求項４】
コアの他側には、スライドスイッチに形成された操作用指当部を露出させてスライド操作可能となるよう操作用貫通孔を設けてある請求項１乃至３のいずれか記載のメモリカード用アダプタ。
【請求項５】
スライドスイッチには、フック部の可動乃至不動の状態に対応する当該スライドスイッチのいずれかの移動端の位置への移動を感覚的に識別可能としたバネ機構を備えた請求項１乃至４のいずれか記載のメモリカード用アダプタ。
【発明の詳細な説明】
【技術分野】
【０００１】
本発明は、メモリカード、特にＲＳ−ＭＭＣ等の小型のメモリカードが装着されることにより、メモリカードの使用可能な電子機器へのバリエーションを拡げることが可能なメモリカード用アダプタに関する。
【背景技術】
【０００２】
近年、ＭＭＣと同じ厚さで、幅および奥行きがＭＭＣの約半分のＲＳ−ＭＭＣ用アダプタとしては、フレーム金具とコアとの少なくとも２部品で構成されたものが流通しており、フレーム金具のフック部を指で押さえて外し、アダプタをメモリカードから離脱させる構造となっている。
【０００３】
例えば、従来においては、本出願人自身により先に出願された特許文献１に開示されているように、特にＲＳ−ＭＭＣによるメモリカードの端部が挿入されることによりメモリカードが着脱自在に装着されるフレーム金具と、フレーム金具に差し込まれて組み付けられる樹脂成形体からなるコアとを備え、全体の厚さがメモリカードと略同じ厚さとなって構成されたメモリカード用アダプタがある。
【０００４】
このフレーム金具は、メモリカードの装着側の両端部に略コ字形をなして一対となって形成され、メモリカードが挿入されることによりメモリカードの両サイドを抱持する抱持部と、一対の抱持部の間に設けられると共に前記コアとの離反方向への変位が規制された状態でメモリカードの端部に対してばね力で係脱自在に係合してメモリカードの抜け止めを行うフック部と、コアへの加締めによってコアの固定を行う加締め用突起とを有している。
【０００５】
こうすることでメモリカードをアダプタに装着した状態では、通常サイズのメモリカードと同じサイズとなり、通常サイズのメモリカード用の電子機器に使用可能となり、小型のメモリカードの使用可能範囲を拡大できるようにしたものである。
【特許文献１】特開２００３−２４２４５８号公報
【発明の開示】
【発明が解決しようとする課題】
【０００６】
ところで、アダプタを装着したメモリカードを電子機器から取り外すに際し、フレーム金具のフック部を不用意に強く掴んでしまうとメモリカードが離脱してしまい、電子機器内にメモリカード自体が取り残されてしまう不具合が生じる虞れがある。
【０００７】
本発明は、叙上のような従来の技術が有する問題点を解消するもので、フレーム金具のフック部を不用意に強く掴んでしまってもメモリカードが容易には離脱しないように改良されたメモリカード用アダプタを提供することを目的とする。
【課題を解決するための手段】
【０００８】
上述した課題を解決するため、本発明にあっては、メモリカードの端部が挿入されることによりメモリカードが着脱自在に装着されるフレーム金具と、フレーム金具に差し込まれて組み付けられるコアと、コアとの離反方向への変位が規制された状態でメモリカードの端部に対してばね力で係脱自在に係合してメモリカードの抜け止めを行うよう前記フレーム金具に設けたフック部を可動乃至不動の状態に規制すべくフレーム金具、コアの相互間でスライド可能に配置されたスライドスイッチとを備えたものである。
【０００９】
スライドスイッチは、コアに形成された凹部に往復スライド可能に収納されると共に、コアの片側に形成された貫通孔もしくは有底孔に対向して突部が形成され、当該スライドスイッチのいずれかの移動端で突部が貫通孔もしくは有底孔に係入することによりフック部の可動を許容するものとして構成することができる。
【００１０】
スライドスイッチには、コアの貫通孔もしくは有底孔の個数に対応した数の突部を備えているものとすることができる。
【００１１】
コアの他側には、スライドスイッチに形成された操作用指当部を露出させてスライド操作可能となるよう操作用貫通孔を設けてあるものとすることができる。
【００１２】
スライドスイッチには、フック部の可動乃至不動の状態に対応する当該スライドスイッチのいずれかの移動端の位置への移動を感覚的に識別可能としたバネ機構を備えたものとすることができる。
【００１３】
以上のように構成された本発明に係るメモリカード用アダプタにあって、コアの前方に設けた貫通孔または有底孔と、スライドスイッチに設けた突部の位置を厚さ方向に連携させて、スライドスイッチの位置を変えることで、スライドスイッチの上に配置されたフレーム金具のフック部を可動乃至不動の状態にする。
【００１４】
すなわち、スライドスイッチの突部がコアの貫通孔または有底孔に重ならない位置にあるときは、フレーム金具のフック部が不動の状態となって、メモリカードからフレーム金具のフック部が外せない状態となる。
【００１５】
一方、スライドスイッチの突部がコアの貫通孔または有底孔に重なる位置にあるときは、フレーム金具のフック部が可動の状態となって、メモリカードからフレーム金具のフック部が外せる状態となる。
【発明の効果】
【００１６】
本発明によれば、フレーム金具のフック部を不用意に強く掴んでしまってもメモリカードが容易には離脱しないものとすることができ、電子機器内にメモリカード自体が取り残されてしまうというような不具合を未然に防ぐことができる。
【００１７】
すなわち、これは、本発明がメモリカードの端部が挿入されることによりメモリカードが着脱自在に装着されるフレーム金具と、フレーム金具に差し込まれて組み付けられるコアと、コアとの離反方向への変位が規制された状態でメモリカードの端部に対してばね力で係脱自在に係合してメモリカードの抜け止めを行うよう前記フレーム金具に設けたフック部を可動乃至不動の状態に規制すべくフレーム金具、コアの相互間でスライド可能に配置されたスライドスイッチとを備えたからであり、これにより、スライドスイッチのスライド操作でもってフック部を不動の状態に規制させることができ、フレーム金具のフック部を不用意に強く掴んでしまってもメモリカードは容易には離脱しないものとなる。
【００１８】
また、スライドスイッチは、コアに形成された凹部に往復スライド可能に収納されると共に、コアの片側に形成された貫通孔もしくは有底孔に対向して突部が形成され、当該スライドスイッチのいずれかの移動端で突部が貫通孔もしくは有底孔に係入することによりフック部の可動を許容するものとしたので、スライドスイッチのスライド操作でもって容易にフック部を可動の状態にさせることができ、フレーム金具からメモリカードを容易に離脱することができる。
【００１９】
また、スライドスイッチには、コアの貫通孔もしくは有底孔の個数に対応した数の突部を備えているので、フック部の可動乃至不動の状態規制が安定して行える。
【００２０】
さらに、コアの他側には、スライドスイッチに形成された操作用指当部を露出させてスライド操作可能となるよう操作用貫通孔を設けてあるので、操作用指当部を容易にスライド操作させることができ、アダプタに対するメモリカードの取り外しが簡単に行える。
【００２１】
さらにまた、スライドスイッチには、フック部の可動乃至不動の状態に対応する当該スライドスイッチのいずれかの移動端の位置への移動を感覚的に識別可能としたバネ機構を備えたので、フック部の可動乃至不動の状態を明確に認識することができ、電子機器からのメモリカードの取り出しに際し、フック部の誤作動を未然に防止することができる。
【発明を実施するための最良の形態】
【００２２】
以下、図面を参照して本発明を実施するための最良の一形態を説明すると、各図において示される符号１は、特にＲＳ−ＭＭＣ等の小型のメモリカードが装着されるアダプタであり、このアダプタ１は、図１、図２に示すように、メモリカードの端部が挿入されることによりメモリカードが着脱自在に装着されるフレーム金具２と、フレーム金具２に差し込まれて組み付けられる例えばＰＢＴ樹脂等の樹脂成形体からなる略矩形薄板状のコア３と、フレーム金具２、コア３の相互間でスライド可能に配置されたスライドスイッチ４とを備えている。
【００２３】
フレーム金具２は、ステンレス等の金属によって全体がカード形状に形成されており、略平板状の支持板部２０と、支持板部２０に対して形成された左右一対の抱持部２１，２２と、一対の抱持部２１，２２の間に位置するように設けられたフック部２３と、支持板部２０の幅方向の両側に起立状に形成されてコア３を加締め固定可能とした加締め用突起２４とを有している。
【００２４】
フレーム金具２に設けたフック部２３は、支持板部２０の端部を下方向に略直角状に屈曲させることにより形成され、抱持部２１，２２と同様にメモリカードの装着側に、当該抱持部２１，２２よりも若干内側に引っ込んだ位置となるように形成され、装着されるメモリカードの不図示の係合溝と係合することでメモリカードがアダプタ１から抜け落ちないように保持する機能を有している。すなわち、支持板部２０におけるフック部２３との連設部分２０ａの両側には、長尺な直線状のスリット２０ｂ，２０ｂが平行状態で形成され、このスリット２０ｂ，２０ｂの形成によって連設部分２０ａにはバネ力が付与され、したがって、連設部分２０ａと連設しているフック部２３には、バネ力が付与されるものとなる。こうして、コア３との離反方向への変位が規制された状態でメモリカードの端部に対してばね力で係脱自在に係合することでメモリカードの抜け止めを行うようにしている。
【００２５】
図３に示すように、コア３におけるフレーム金具２との対向面には、フレーム金具２の抱持部２１，２２に差し込まれる差し込み部３３が凹状に形成され、この差し込み部３３を抱持部２１，２２に差し込むことにより、コア３が左右方向に位置決めされた状態でフレーム金具２に取り付けられる。また、コア３は、支持板部２０の上面をスライドさせることにより、フレーム金具２に取り付けられるものであり、フレーム金具２への取付状態では、コア３の上面は露出した状態となり、この露出している上面を手で把持してメモリカードの装着を行えるようにしてある。さらに、前記差し込み部３３側にはスリット３１が形成され、コア３の幅方向の両側には、加締め用突起２４に対応した加締め受け部３２が所定長さで形成されている。
【００２６】
図２および図４に示すように、スライドスイッチ４は、フレーム金具２に設けたフック部２３を可動乃至不動の状態に規制すべくフレーム金具２、コア３の相互間でスライド可能に配置されている。すなわち、スライドスイッチ４は、狭幅で且つ若干傾斜した中央の基部４１を介してその片側に滑り止め用のローレットを施した操作用指当部４２を設け、他側に基部４１よりも若干幅の広い操作部４３が設けられており、この操作部４３には、スライド方向（長手方向）に沿って２個一対の突部４７がそれぞれ所定の間隔を置いて形成されている。そして、操作用指当部４２の左右両側には、互いに内側に向けて撓曲可能な二股アーム状の撓みバネ４４が形成され、各撓みバネ４４のアーム先端は互いに外向きに折曲して突起状の係止部４５が形成されている。このスライドスイッチ４は、基部４１、操作用指当部４２、操作部４３それぞれに対応し且つ左右方向にスライドできる程度のスペースに形成されたコア３の収容凹部３Ａ内に、左右方向に往復スライド可能となって収納される。
【００２７】
コア３の前方側には、スライドスイッチ４の操作部４３に形成された突部４７に対向して、２個一対の貫通孔４８がそれぞれ形成され、当該スライドスイッチ４のいずれかの移動端で突部４７が貫通孔４８に係入することにより前記フック部２３の可動を許容するものとしてある。このとき、コア３の貫通孔４８は、スライドスイッチ４の一対の突部４７に対応すべく一対にして設けてある。こうして、スライドスイッチ４の突部４７が貫通孔４８のないコア３の収容凹部３Ａに突き当たっている場合には、スライドスイッチ４が撓むことができずにフック部２３が下げられない状態となる。
【００２８】
一方、スライドスイッチ４の突部４７がコア３の貫通孔４８に係入されている場合には、スライドスイッチ４が撓むことができてフック部２３が下げられる状態となるようにしてある。また、コア３の他側には、スライドスイッチ４に形成された操作用指当部４２を露出させてスライド操作可能となるよう操作用貫通孔４９を設けてある。
【００２９】
コア３の収容凹部３Ａの左右両端側には、フック部２３の可動乃至不動の状態に対応するスライドスイッチ４のいずれかの移動端の位置への移動を感覚的に識別可能とすべく当該スライドスイッチ４の撓みバネ４４先端に形成された係止部４５に対応して被係止部５１を備えている。すなわち、被係止部５１は、コア３におけるスライドスイッチ４の操作部４３を収容させる収容凹部３Ａ内の両端部上下側に、互いに対向する一対の円弧状突起によって形成され、スライドスイッチ４が移動端に移動した際に、前記撓みバネ４４が被係止部５１による押圧によっていったん圧縮方向に撓んでから、係止部４５が被係止部５１を乗り越えた後に撓みバネ４４が拡開して係止されるようなバネ機構となって構成されている。
【００３０】
次に、本実施の形態に係るアダプタ１の使用方法について説明すれば、スライドスイッチ４の突部４７が貫通孔４８のないコア３底部に突き当たっている移動端にある場合には、スライドスイッチ４が撓むことができずにフック部２３が下げられない状態となっている。すなわち、スライドスイッチ４の突部４７がコア３の貫通孔４８に重ならない位置にあるときは、フレーム金具２のフック部２３が不動の状態となって、メモリカードからフレーム金具２のフック部２３が外せない状態となる。このためアダプタ１を装着したメモリカードを電子機器から取り出すに際し、フレーム金具２のフック部２３を不用意に強く掴んでしまっても、メモリカードはアダプタ１から離脱されずに当該アダプタ１と共に取り出すことができる。
【００３１】
また、アダプタ１からメモリカードを取り出す場合には、操作用貫通孔から露出している操作用指当部４２を他の移動端の方向にスライド移動させることで、スライドスイッチ４の突部４７がコア３の貫通孔４８に係入させた位置状態となり、これによってスライドスイッチ４が撓むことができてフック部２３が下げられる状態となり、アダプタ１からメモリカードを取り出すことができる。すなわち、スライドスイッチ４の突部４７がコア３の貫通孔４８に重なる位置にあるときは、フレーム金具２のフック部２３が可動の状態となって、メモリカードからフレーム金具２のフック部２３が外せる状態となる。
【００３２】
このようにコア３の前方に設けた貫通孔４８と、スライドスイッチ４の操作部４３に設けた突部４７の位置を厚さ方向に連携させてあるため、スライドスイッチ４の位置を変えることで、スライドスイッチ４の上に配置されたフレーム金具２のフック部２３を可動乃至不動の状態にすることができるのである。
【００３３】
図５に示すように、コア３に設けた貫通孔４８の替わりに、これを有底孔５８とすることもできる。このとき、アダプタ１全体の厚さがメモリカードの厚さよりも若干大きくなっている。また、この全厚さを薄くする場合には、コア３には有底孔５８と突部４７を、一方のスライドスイッチ４には、突部４７と有底孔５８をそれぞれ相対するように配置すれば良い。
【００３４】
また、スライドスイッチ４は、同じ素材による一体での構成とすることもできるが、スライドスイッチ４自体を少なくとも２部品で構成しても良い。このようにスライドスイッチ４を複数部品で構成する場合は、同じ素材を使っても良いが、異なる素材を使っても良い。例えば、図６、図７に示すように、スライドスイッチ４をスイッチバネ部４Ａとスイッチ摘み部４Ｂとの２部品によって構成する。このとき、スイッチバネ部４Ａの前方側には、コア３の貫通孔４８に係合する突部４７が形成され、後方側にはスイッチ摘み部４Ｂの一対の円形突起６１を、スライドスイッチ４のスライドストロークに対応した長さに形成されたコア３の横長矩形状の操作用貫通孔４９を通して圧入するための略横向きダルマ形の一対の取付孔部６２が形成されている。
【００３５】
そして、スイッチバネ部４Ａにおけるスイッチ摘み部４Ｂが装着される後方側の左右両端側には、板片状の撓みバネ４４が延設され、撓みバネ４４の先端には、円弧状に湾曲させた係止部４５が形成されている。これに対応してコア３におけるスイッチバネ部４Ａを収容させる収容凹部３Ａ内の両端部側には、若干窪んだ係合凹部６３を設けてある。こうしてフック部２３の可動乃至不動の状態に対応するスイッチバネ部４Ａのいずれかの移動端の位置への移動を感覚的に識別可能としてある。
【００３６】
すなわち、スイッチバネ部４Ａが移動端に移動した際には、一方の撓みバネ４４の係止部４５が係合凹部６３に嵌合すると共に、他方の撓みバネ４４の係止部４５は係合凹部６３から離れて収容凹部３Ａ上面に乗り上げられて若干上方向に撓んだ状態となる。
【００３７】
スライドスイッチ４のコア３への取り付けに際し、先ず、スイッチバネ部４Ａをコア３の収容凹部３Ａ内に収納し、反対側からスイッチ摘み部４Ｂの円形突起を、コア３の操作用貫通孔４９を通してダルマ形の取付孔部６２のうち大きな孔部側に挿入しておいてから、スイッチバネ部４Ａを若干横方向にずらして円形突起６１の周面に形成されている環状溝をダルマ形の取付孔部６２のうち小さな孔部側へ圧入することでスイッチバネ部４Ａとスイッチ摘み部４Ｂとが一体化される。
【００３８】
尚、図８に示すように、コア３に対し貫通孔４８とする替わりに、これを有底孔５８とすることで、アダプタ１全体の厚さをメモリカードの厚さよりも若干大きくなるように構成しても良い。また、図１０に示したように、既述操作用貫通孔４９の内縁に面取り４９ａを施しても良い。これにより、操作用指当部４２に指先がしっかりと引っ掛かり、スイッチの操作性を向上させることができる。
【図面の簡単な説明】
【００３９】
【図１】本発明を実施するための最良の形態を示すもので、（ａ）はアダプタを下方から示す斜視図、（ｂ）はアダプタを上方から示す斜視図である。
【図２】スライドスイッチの一例を示すもので、（ａ）はスライドスイッチを上方から示す斜視図、（ｂ）はスライドスイッチを下方から示す斜視図である。
【図３】同じくコアの一例を示すもので、（ａ）はコアを下方から示す斜視図、（ｂ）はコアを上方から示す斜視図、（ｃ）はコアにスライドスイッチを装着した状態の斜視図である。
【図４】同じくアダプタのスライドスイッチ動作を説明するもので、（ａ）はアダプタの平面図、（ｂ）は（ａ）中におけるスライドスイッチ右方向移動状態のＸ−Ｘ断面図、（ｃ）はフレーム金具を取り外した状態で且つスライドスイッチ右方向移動状態の平面図である。
【図５】同じくアダプタのスライドスイッチ動作を説明するもので、（ｄ）は図５（ａ）中におけるスライドスイッチ左方向移動状態のＸ−Ｘ断面図、（ｅ）はフレーム金具を取り外した状態で且つスライドスイッチ左方向移動状態の平面図、（ｆ）は図４（ｂ）中のＹ−Ｙ断面図、（ｇ）は図５（ｄ）中のＺ−Ｚ断面図である。
【図６】本発明を実施するための他の実施の形態を示すもので、（ａ）はフレーム金具を取り外した状態で且つスライドスイッチ右方向移動状態の平面図、（ｂ）は（ａ）中のＸ−Ｘ断面図、（ｃ）はフレーム金具を取り外した状態で且つスライドスイッチ左方向移動状態の平面図、（ｄ）は（ｃ）中のＹ−Ｙ断面図である。
【図７】本発明を実施するための更に他の実施の形態を示すもので、（ａ）はフレーム金具を取り外した状態で且つスライドスイッチ右方向移動状態の平面図、（ｂ）は（ａ）中のＸ−Ｘ断面図、（ｃ）はコアの平面図、（ｄ）は（ｂ）中のＹ−Ｙ断面図である。
【図８】同じく組立順序を示すもので、（ａ）は分解断面図、（ｂ）は組立状態を示す平面図である。
【図９】本発明を実施するための更に他の実施の形態を示すもので、（ａ）は組立順序を示す分解断面図、（ｂ）はスイッチバネ部の圧入移動前の状態の平面図、（ｃ）はスイッチバネ部の圧入移動後の状態の平面図、（ｄ）は（ｃ）中のＸ−Ｘ断面図である。
【図１０】本発明を実施するための更に他の実施の形態を示すもので、（ａ）はコアの平面図、（ｂ）は（ａ）中のＸ−Ｘ’断面図、（ｃ）は（ａ）中のＹ−Ｙ’断面図である。
【符号の説明】
【００４０】
１          アダプタ
２          フレーム金具
３          コア
４          スライドスイッチ
２０        支持板部
２１，２２  抱持部
２３        フック部
２４        加締め用突起
３１        スリット
３２        加締め受け部
３３        差し込み部
４１        基部
４２        操作用指当部
４３        操作部
４４        撓みバネ
４５        係止部
４７        突部
４８        貫通孔
４９ａ      面取り
４９        操作用貫通孔
５１        被係止部
５８        有底孔
６１        円形突起
６２        取付孔部
６３        係合凹部
【図１】
2006018651.tif 000003
【図２】
2006018651.tif 000004
【図３】
2006018651.tif 000005
【図４】
2006018651.tif 000006
【図５】
2006018651.tif 000007
【図６】
2006018651.tif 000008
【図７】
2006018651.tif 000009
【図８】
2006018651.tif 000010
【図９】
2006018651.tif 000011
【図１０】
2006018651.tif 000012